(57)【要約】【課題】簡易な構造で足に良好な衝撃軽減効果を有する衝撃回避マッサージ靴底。【解決手段】衝撃回避マッサージ靴底を、靴中底１１と相互に固定する活動板１と、靴大底１２と相互に固定する底板２と、支持ブロック３と、滑動ブロック４と、活動板と底板とを相互に接続する弾性体５と、から構成し、底板に収容室を設けて弾性体を該収容室内に配置し、滑動ブロックを底板上に形成した凹溝上又は収容室内に設置し、滑動ブロックの一端を弾性体と相接して配置し、支持ブロック活動板と底板の間に傾斜角を形成して配置し、その一端を活動板を押し上げて係止すると共に、他端を滑動ブロックのもう一端に係止する。【選択図】図３
0003153139.tif 000002
【実用新案登録請求の範囲】
【請求項１】
靴中底と相互に固定する活動板と、靴大底と相互に固定する底板と、支持ブロックと、滑動ブロックと、活動板と底板とを相互に接続する弾性体と、から構成し、
底板に収容室を設けて弾性体を該収容室内に配置し、滑動ブロックを底板上に形成した凹溝上又は収容室内に設置し、
滑動ブロックの一端を弾性体と相接して配置し、支持ブロックを活動板と底板の間に傾斜角を設けて配置し、その一端を活動板を押し上げて係止すると共に他端を滑動ブロックの他端に係止したことを特徴とする衝撃回避マッサージ靴底。
【請求項２】
弾性体の滑動ブロックと反対側の端と収容室壁との間に硬質体を設け、調整螺子を収容室壁中に貫通設置して、調整螺子の一端を収容室外に突出配置し、他端を硬質体上に係止したことを特徴とする請求項１記載の振動回避マッサージ靴底。
【請求項３】
前記弾性体が油圧バッグ、エアバッグ、バネ、剛性プラスチックブロック又は気液混合バッグであることを特徴とする請求項１記載の衝撃回避マッサージ靴底。
【請求項４】
前記弾性体の材料は、ゴム、ＰＵ、ＰＶＣ、シリコン、ＥＶＡであることを特徴とする請求項１記載の衝撃回避マッサージ靴底。
【請求項５】
前記活動板と底板が一体に成型されるか、リベットを介して相互に接合したものであることを特徴とする請求項１記載の衝撃回避マッサージ靴底。
【請求項６】
前記底板上に形成した凹溝上に２つの通孔を設け、1つ以上の挿入ピンを通孔に挿入して滑動ブロックに対して突出配置してその移動を阻止したことを特徴とする請求項１記載の衝撃回避マッサージ靴底。
【請求項７】
活動板と底板の接続端から離れたもう一端において、活動板と底板との間に弾性クッションを設けたことを特徴とする請求項１記載の衝撃回避マッサージ。
【考案の詳細な説明】
【技術分野】
【０００１】
本考案は、靴底に関し、特に、弾性緩衝、マッサージ効果を有する靴底に関する。
【背景技術】
【０００２】
現在、市場で様々な衝撃回避靴底を見ることができる。これらの靴底を装着した靴は、衝撃軽減、緩衝の作用を有するが、顕著な弾性を有しておらず、これらの靴の構造は、通常比較的複雑であり、部品が多く、生産製造に不利である。
【先行技術文献】
【特許文献】
【０００３】
【特許文献１】特開２００７−８９７３４号公報
【特許文献２】特開昭６３−２５７５０４号公報
【考案の概要】
【考案が解決しようとする課題】
【０００４】
本考案の目的は、現有技術の上記欠陥に対して、衝撃回避マッサージ靴底を提供し、簡易な構造で靴に良好な衝撃軽減効果を持たせることである。
【課題を解決するための手段】
【０００５】
上記技術的問題を解決するため、本考案は、以下の技術的工夫により実現する：
衝撃回避マッサージ靴底であって、靴中底と相互に固定する活動板と、靴大底と相互に固定する底板と、支持ブロックと、滑動ブロックと、活動板と底板とを相互に接続する弾性体と、から構成され、底板に収容室を設け、弾性体を該収容室内に配置すると共に滑動ブロックを底板上に形成された凹溝上又は収容室内に設置して滑動ブロックの一端を該弾性体と相接して配置し、支持ブロックが活動板と底板の間に傾斜角を設けて配置され、sその一端を活動板を押し上げて係止し、もう一端を滑動ブロックの他端に係止する。
【０００６】
好適には、弾性体の滑動ブロックから離れた一端と収容室壁との間に硬質体を設け、調整螺子が収容室壁中に貫通設置され、調整螺子の一端が収容室外に配置され、もう一端が硬質体上に係止するものである。
【０００７】
好適には、前記弾性体が油圧バッグ、エアバッグ、バネ、剛性プラスチックブロック又は気液混合バッグである。
【０００８】
好適には、活動板と底板が一体に成型されるか、リベットを介して相互に接合するものである。
【０００９】
好適には、底板上に形成する凹溝上に２つの通孔を設け、1つまたは1つ以上の挿入ピンを有し通孔上に挿入設置し、滑動ブロックを係止する。
【００１０】
好適には、活動板と底板の接続端から離れたもう一端において、活動板と底板との間に弾性クッションを設ける。
【考案の効果】
【００１１】
以上の技術試案から分かるように、本考案は、活動板と底板の間に活動可能な剛性支持ブロックを設置し、足裏に対してマッサージ作用を発揮する。また、かかと部が活動板を圧迫する時、活動板は、下向きに押圧されて支持ブロックがその力を受け、支持ブロックは傾斜角を呈して配置されているため、支持ブロックがその力を受けると圧力を滑動ブロックに伝達し、滑動ブロックは、その力を受けて弾性体を押圧する。このように複数の部材への力の伝達を介して、かかとにかかる圧力に十分な緩衝作用を持たせ、人体の運動過程中の衝撃力を軽減し、脳神経中枢、骨格、身体各部分が衝撃を受けることを回避し、良好な衝撃回避効果をなし、運動傷害を回避する。緩衝効果を介して衝撃回避すると同時に、跳ね返り弾力に変換し、足部に対してマッサージ及び推進運動の機能をなし、人体の運動過程において省力させることができる。
【図面の簡単な説明】
【００１２】
【図１】本考案の構造説明図である。
【図２】本考案の構造立体説明図である。
【図３】本考案のもう１つの構造説明図及び靴底との組み合わせ図である。
【考案を実施するための形態】
【００１３】
下記に具体的実施方式を合わせて本考案に対してより詳細に説明を行う。
【００１４】
図１に示すように、本考案は、靴中底１１と相互に固定する活動板１と、靴大底１２と相互に固定する底板２と、支持ブロック３と、滑動ブロック４と、活動板１と底板２とを相互に接続する弾性体５と、から構成され、底板２上に収容室を設けて弾性体５を該収容室内に配置し、滑動ブロック４を底板上に形成した凹溝上又は収容室内に設置し、滑動ブロック４の一端を弾性体５に相接して配置する。支持ブロック３を活動板１と底板２の間に傾斜角を設けて配置し、該支持ブロック３上端を活動板の溝３１内に係止すると共に、支持ブロック３の下端を滑動ブロック４の他端に設けた溝内に係止する。
【００１５】
本考案の靴を履いて走行すると、足を地に着ける時、かかとが活動板１を圧迫し、活動板１がその力を受けて支持ブロック３を押圧し、支持ブロック３が傾斜角を形成して活動板１と滑動ブロック４の間に配置されているため、活動板１が下向きに圧迫されると、支持ブロック３がその力を受けて滑動ブロック４を押圧し、滑動ブロック４がその力を受けて収容室内側の弾性体を押圧し、弾性体がその弾発力によりその力を受けて内向きに緩衝圧縮することによって、かかとに対して緩衝、衝撃軽減の作用をなす。足を上げる時は、弾性体が受けた力が減少して、弾発力により滑動ブロックを推し動かして押圧し、足部を緩やかに押し戻して弾性推進運動の機能を達成し、同時に靴底を力を受ける前の状態を回復させる。
【００１６】
本考案の好適実施例において、前記弾性体は油圧、空気封入体、バネ、剛性プラスチック又は気液混合封入体である。
【００１７】
好適には、弾性体の材料は、ゴム、ＰＵ、ＰＶＣ、シリコン、ＥＶＡである。
【００１８】
図１に示すように、活動板１と底板２は、一体に成型することができ、プラスチック部材の弾性を介して、活動板１の底板２に対する上下運動を実現することができる。図２に示すように、活動板１と底板２の間もリベット又は螺子栓１０を介して相互に接合して、活動板と底板前端との相互の接合によって、活動板の底板に対する上下運動を実現する。
【００１９】
図２に示すように、底板上に形成する凹溝上に２つの通孔を設け、1つ以上の挿入ピン２１を通孔に挿入して突出配置させ、滑動ブロック４の位置を制限する。このように、弾性体の圧力を調整する時、滑動ブロックの収容室から離れる移動を係止し、弾性体の圧力強度を変化させることができる。
【００２０】
図３に示すように、弾性体５の滑動ブロックから離れた一端と収容室壁との間に硬質体６を設け、調整螺子７を収容室壁中に貫通設置して、調整螺子の一端を収容室外に配置して、もう一端を硬質体６上に係止する。硬質体は、鋼片でよい。このように、必要に応じて、弾性体５の圧力強度を調整し、活動板１に底板２に対する動作幅を調整することができる。
【００２１】
活動板と底板の接続端から離れたもう一端において、活動板と底板の間に弾性クッション９を設けて、活動板１の底板２に対する運動に対して一定の緩衝作用を働かせることができる。
【００２２】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２３】
１  活動板
２  底板
３  支持ブロック
４  滑動ブロック
５  弾性体
６  硬質体
９  弾性クッション
３１  溝
【図１】
0003153139.tif 000003
【図２】
0003153139.tif 000004
【図３】
0003153139.tif 000005
【手続補正書】
【提出日】平成21年6月24日(2009.6.24)
【手続補正１】
【補正対象書類名】実用新案登録請求の範囲
【補正対象項目名】請求項７
【補正方法】変更
【補正の内容】
【請求項７】
活動板と底板の接続端から離れたもう一端において、活動板と底板との間に弾性クッションを設けたことを特徴とする請求項１記載の衝撃回避マッサージ靴底。